(57)【要約】      （修正有）【課題】ＥＬシート発光体により視覚効果を相乗的に高める電子ＰＯＰ広告端末を提供する。【解決手段】店舗内の商品棚やカウンターなどの広告場所に設置して、販売商品や店舗に関する広告を提供する電子ＰＯＰ端末の画像表示部１２またはスピーカー１４を囲む筐体１１表面に補助表示機能としてＥＬ発光部１３ａ〜１３ｄを設け商品広告に関連する情報に関連した文字または意匠を発光させることで視覚効果と広告効果を高める。【選択図】図１
0003202533.tif 000002
【実用新案登録請求の範囲】
【請求項１】
商品の近傍に配置され商品広告情報を表示する画像表示手段及び／又は音声出力手段を備え、商品広告に関連する情報を発光表示する関連情報表示領域により構成される表示部と音声出力部とを備え、前記関連情報表示領域は、商品情報を発光させるＥＬシートにより形成されていることを特徴とする電子ＰＯＰ広告端末。
【請求項２】
前記ＥＬシートは、前記商品広告情報として、商品情報または企業情報を表示させるように形成されていることを特徴とする請求項１に記載の電子ＰＯＰ広告端末。
【考案の詳細な説明】
【技術分野】
【０００１】  本考案は、小売店の店頭に置くなどしてＰＯＰ広告を行うための電子ＰＯＰ広告端末の液晶表示部またはスピーカー部以外の領域にＥＬシートを貼りつけることで、広告要素の文字または意匠を発光させ視覚効果と広告効果を高めた電子ＰＯＰ端末に関する
【背景技術】
【０００２】  映像や音声などのコンテンツデータを再生表示する機能を有する端末を店舗の商品棚やカウンターなどの広告場所に設置して、販売商品に関する広告を提供する方法が広く利用されている。一般的に、このような映像や音声などのコンテンツを用いた広告を電子ＰＯＰ広告といい、これらＰＯＰ広告を提供する端末が電子ＰＯＰ端末として提案されているが、画像表示部やスピーカーを囲む筐体表面部分に広告要素を印刷したものはあるが、文字や意匠を発光させることで視覚効果と広告効果を高めた電子ＰＯＰ端末は存在しない。
【先行技術文献】
【特許文献】
【０００３】
【特許文献１】実用新案登録第３１３２１２６号
【特許文献２】実用新案登録第３１３１１９３号
【考案の概要】
【考案が解決しようとする課題】
【０００４】  しかしながら、上記従来の電子ＰＯＰ端末は、映像または音声を単純に流すだけのものであり、印刷エリアを設けるだけでは顧客に対する訴求力が低いという問題がある。さらに、電子ＰＯＰ端末は、設置される広告場所により、省スペースとする必要があるため通常は小型の画面が用いられる。このため、消費者等からの十分な注目を集めることが難しい場合があり、店舗内を広く動き回る消費者等に対して十分な視覚効果を発揮できないこともあった。
【課題を解決するための手段】
【０００５】  そこで、本考案は、従来よりも視認性と視覚効果の高い広告を行う事で顧客に対する訴求力を高めることが可能な電子ＰＯＰ端末を提供することを課題とする。【０００６】  上記課題を解決するため、本考案では、映像や音声などのコンテンツデータを再生表示する主表示部と、主表示部を囲む筐体表面にＥＬシートを合成し広告効果を高めることに有効な文字や意匠などを発光させることで広範囲の顧客からの視認性を高めることを特徴とする電子ＰＯＰ端末を提供する。
【考案の効果】
【０００７】  本考案によれば、映像や音声などのコンテンツデータを画生表示する電子ＰＯＰ端末の存在をＥＬシートが発光する文字情報、意匠などにより店舗内を移動する消費者の注意を喚起し正面だけではなく側方や遠方の消費者に対しても広告することができ、消費者に対して的確な情報伝達が可能であり、商品販促を効果的に高めることができる。
【図面の簡単な説明】
【０００８】
【図１】本考案に係る電子ＰＯＰ端末の外観正面図
【図２】本考案に係る電子ＰＯＰ端末の意匠例
【図３】本考案に係る音声ＰＯＰ端末の外観正面図
【考案を実施するための形態】
【０００９】  以下、本考案の実施形態について図面を参照して説明する。なお、本考案は、以下の例に限定されるものではない。
【００１０】図１は、本考案に係る電子ＰＯＰ端末の外観正面図（一例）である。
図１において、１１は筐体、１２は主表示部、１３ａ、１３ｂ、１３ｃ、１３ｄは補助表示部（ＥＬ発光部）、１４はスピーカーである。
【００１１】  図１に示した電子ＰＯＰ端末は、周知の小型液晶装置そのものであり、筐体１１に液晶ディスプレイの主表示部１２を備え、筐体１１の中央部分にスピーカー１４を有している。筐体の大きさは、幅（図面左右方向）が２５０ｍｍ、高さ（図面上下方向）が７８ｍｍ、厚みが９ｍｍである（一例）。
この電子ＰＯＰ端末は、内部に映像や音声、画像などのコンテンツデータを記録した内部メモリを備え、電源が入れられると、メモリ内に記録されたコンテンツが主表示部１２及び補助表示部（ＥＬ発光部）１３ａまたは１３ｂまたは１３ｃまたは１３ｄまたはすべての領域に表示されるようになっている。
【００１２】  本考案に係る電子ＰＯＰ端末の特徴の１つは、図１に示すように、筐体１１の正面右側（一例）に図２が示す意匠のようなテキスト等をＥＬシートにより発光させた補助表示領域（ＥＬ発光部）を設けた点である。
【００１３】  前記補助表示領域でＥＬシートにより発光できるコンテンツは、英数字、カタカナ、ひらがな、意匠などのであり、表示モードとして、点灯、点滅、消灯があり、プログラムによりコンテンツの発光タイミングや発光時間及び発光の順番を制御することができる。
【００１４】  図１に示した電子ＰＯＰ端末は、店舗内の商品棚等に配置された後、電源が入れられると、内部メモリから動画コンテンツ等が読み込まれ、主表示部１２に表示再生されると同時に補助表示領域（ＥＬ発光部）から文字や意匠が発光される。
【００１５】  図１及び図３に示した電子ＰＯＰ端末は、人の動きを感知する「センサー部」１５及び１８を有するものがあり、感知して動画及び／又は音声を発する「スピーカー部」を有する。さらに、前記「センサー部」の感知手段は、少なくとも音声センサー、タッチセンサー、光学センサー、赤外線センサーまたは超音波センサーのうちいずれか１つを搭載することを特徴とする。
【００１６】  図１及び図３に示した電子ＰＯＰ端末の筐体には紙を利用したものと樹脂を利用したものがあり、ＥＬシートには、無機ＥＬシートと有機ＥＬシートがある。ＥＬシートにより発光する「発光部」を商用電源又は乾電池を電源として動作する装置。
【００１７】  本考案によれば、電子ＰＯＰ端末の主表示部１２に表示されるコンテンツデータと連携して、補助表示部（ＥＬ発光部）１３ａまたは１３ｂまたは１３ｃまたは１３ｄまたはすべての領域でＥＬシートにより文字データや意匠が発光されることで、広告の視覚効果を相乗的に高めることができる。
【産業上の利用可能性】
【００１８】  流通店舗内での製造メーカー商品の広告宣伝装置。飲食店の広告宣伝装置。
【符号の説明】
【００１９】１１・・・・・筐体
１２・・・・・主表示部
１３ａ、１３ｂ、１３ｃ、１３ｄ・・・・・補助表示領域（ＥＬ発光部）
１４・・・・・スピーカー
１５・・・・・人感センサー
１６・・・・・補助表示領域（ＥＬ発光部）
１７・・・・・筐体
１８・・・・・人感センサー
１９・・・・・スピーカー
【図１】
0003202533.tif 000003
【図２】
0003202533.tif 000004
【図３】
0003202533.tif 000005